(57)【特許請求の範囲】
【請求項１】
第１躯体と、この第１躯体に空隙をあけて隣接する第２躯体とが設けられ、前記空隙は、略鉛直方向に延びる第１空隙と、第１空隙に連なり略水平方向に延びる第２空隙とからなり、
第１躯体には、横カバープレートがヒンジによって角変位可能に設けられ、この横カバープレートによって、第２空隙が塞がれ、
第２躯体には、縦カバープレートがヒンジによって角変位可能に設けられ、この縦カバープレートによって、第１空隙が塞がれ、横カバープレートと、縦カバープレートとがパッキンを介して当接し、
前記第１空隙には、縦カバープレートの背後に縦止水板が設けられ、前記第２空隙には、横カバープレートの背後に横止水板が設けられ、
縦止水板の下端部と横止水板との連結部に、下方から臨んで排水パネルが設けられることを特徴とする伸縮継手の取付構造。
【発明の詳細な説明】
【０００１】
【産業上の利用分野】
本発明は、略鉛直な縦方向に延びる空隙と略水平な横方向に延びる空隙とを挟んで隣接する２つの建物の相対的な変位を許容し、かつ各建物間の各空隙を塞ぐために用いられる伸縮継手の取付構造に関する。
【０００２】
【従来の技術】
図８は、典型的な従来の技術の伸縮継手６，７の取付構造を示す斜視図である。図９に示すように２つの建物の各躯体４，５は屋外に臨む外表面４ａ，５ａを同一平面内に配置して隣接して設けられる。各躯体４，５間には、空隙１，２が形成される。この空隙１，２をそれぞれ塞ぐために各伸縮継手６，７がそれぞれ設けられる。伸縮継手６は、下方に配置される躯体４に固定される内方水切り部材９と上方に配置される躯体５に固定される外方水切り部材８と、パッキン３が設けられ、外方水切り部材８に取付けられる補強板１１とを含む。パッキン３は、たとえば合成樹脂などの弾発性を有する材料から成り、内方水切り部材９に弾発的に当接される。このような伸縮継手６によって空隙１が塞がれる。
【０００３】
伸縮継手７は、偏平なカバープレート１０を備え、このカバープレート１０は、空隙２の幅よりも大きな幅を有する。このカバープレート１０は、各躯体４，５の外表面４ａ，５ａに支持された状態で、外表面４ａ，５ａに当接する方向にたとえば引張コイルばねなどによって弾発的に付勢されて設けられる。このような伸縮継手７によって空隙２が塞がれる。
【０００４】
【発明が解決しようとする課題】
このような従来技術では、各躯体４，５の外表面４ａ，５ａが同一平面内に形成されること、外表面４ａ，５ａに垂直方向の変位が少ないことが前提とされており、伸縮継手７は、各躯体４，５の外表面４ａ，５ａに支持されて設けられる構成である。このため、たとえば一方の躯体４が他方の躯体５に対して部分的に嵌まり込み、躯体４の残余の部分が図９の紙面に対して垂直手前側に存在するおよび躯体同士が、垂直方向に空隙の幅とほぼ同じ大きさで変位する場合に、各躯体４，５の外表面４ａ，５ａ間にわたって伸縮継手７を設けることができない。すなわち、従来の技術では、一方の躯体が他方に躯体に部分的に嵌まり込んで設けられ、かつ各躯体間に略鉛直な縦方向に延びる空隙と略水平な横方向に延びる空隙とが形成される場合に、各外壁面４ａ，５ａにわたってカバープレート１０を設けて、縦方向および横方向に延びる各空隙を塞ぐことができない。またカバープレート７が躯体４あるいは５と干渉し、各躯体４，５の変位を十分に許容することができない。
【０００５】
したがって本発明の目的は、一方の躯体が他方の躯体に対して外方に突出して設けられるような２つの躯体間の空隙を、各躯体間の相対的な変位を可及的に大きな許容幅で許容した状態で塞ぐことができる伸縮継手の取付構造を提供することである。
【０００６】
【課題を解決するための手段】
本発明は、第１躯体と、この第１躯体に空隙をあけて隣接する第２躯体とが設けられ、前記空隙は、略鉛直方向に延びる第１空隙と、第１空隙に連なり略水平方向に延びる第２空隙とからなり、
第１躯体には、横カバープレートがヒンジによって角変位可能に設けられ、この横カバープレートによって、第２空隙が塞がれ、
第２躯体には、縦カバープレートがヒンジによって角変位可能に設けられ、この縦カバープレートによって、第１空隙が塞がれ、横カバープレートと、縦カバープレートとがパッキンを介して当接し、
前記第１空隙には、縦カバープレートの背後に縦止水板が設けられ、前記第２空隙には、横カバープレートの背後に横止水板が設けられ、
縦止水板の下端部と横止水板との連結部に、下方から臨んで排水パネルが設けられることを特徴とする伸縮継手の取付構造である。
【０００８】
【作用】
本発明に従えば、第１躯体と第２躯体とが空隙をあけて隣接し、第１および第２躯体の間に形成される前記空隙は、略鉛直方向に延びる第１空隙と、略水平方向に延びる第２空隙とからなる。横カバープレートが第１躯体にヒンジによって角変位可能に設けられ、第２空隙が塞がれる。これによって、横カバープレートは、その上部が角変位中心となるように設けられることになり、屋外から空隙内に雨水などが浸入することを防止することができる。また、縦カバープレートが第２躯体にヒンジによって角変位可能に設けられる。これによって、各躯体が相対的に近接するように変位した場合、縦カバープレートと第１躯体とが干渉することなく前記変位を可及的に大きな許容幅で許容することができる。横カバープレートと、縦カバープレートとがパッキンを介して当接するため、漏れが防止できる。
【０００９】
前記第１空隙には、縦カバープレートの背後に縦止水板が設けられ、前記第２空隙には、横カバープレートの背後に横止水板が設けられる。これによって各空隙における水密性が向上される。縦止水板の下端部と横止水板との連結部には、下方から臨んで排水パネルが設けられる。これによって、縦止水板および横止水板によって連結部に導かれた水を空隙内に浸入させることなく排水することができ、水密性を向上することができる。
【００１０】
【実施例】
図１は、本発明の一実施例の伸縮継手２０，２１，２２，２３，２４の取付構造を示す断面図である。一方の建物の第１躯体としての躯体２５と、他方の建物の第２躯体としての躯体２６とは隣接して設けられる。前記他方の建物の躯体２６は、一方の建物の躯体２５から外方に、すなわち図１の紙面に対して垂直手前側に突出した状態で設けられる。このように設けられる各躯体２５，２６は、空隙２７，２８，２９，３０，３１をあけて隣接する。
【００１１】
空隙２７，２９，３１は、鉛直方向に延びて形成され、空隙２８，３０は、略水平方向、すなわち水平方向に対して僅かに傾斜して形成される。これらの各空隙２７〜３１を塞ぐために、各伸縮継手２０〜２４が設けられる。
【００１２】
各躯体２５，２６は、たとえば急激な地震あるいは不等な地盤沈下などによって、鉛直方向Ｘ、鉛直方向Ｘに直交して、たとえば空隙２７において各躯体２５，２６を相対的に近接／離反する方向すなわち図１の紙面に平行である左右方向Ｙ、あるいは鉛直方向Ｘに直交して、図１の紙面に垂直であり、躯体２５の内外方向である前後方向Ｚに相対的に変位するおそれがある。このような各躯体２５，２６の相対的な変位を許容した状態で、各空隙２７〜３１を塞ぐ必要がある。
【００１３】
図２は、図１のセクションＩＩを拡大し、簡略化して示す斜視図である。図解を容易にするため、後述するたとえばカバープレート３３、天井パネル１５８、水返しパネル１５９および止水板１６０などは、厚みを省略して示す。空隙２７を塞ぐ伸縮継手２０は、縦カバープレートであるカバープレート３２を備え、空隙２８を塞ぐ伸縮継手２１は、横カバープレートであるカバープレート３３を備える。
【００１４】
図３は、伸縮継手２０を示す水平断面図である。伸縮継手２０は、躯体２６に固定される縁材３５と、縁材３５に固定されるヒンジ３６と、このヒンジ３６を介して躯体２６に連結されるカバープレート３２と、躯体２５に固定される縁材３７と、この縁材３７に取付けられる止水パネル３８と、カバープレート３２を屋外４４から屋内５４に向けて弾発的に付勢する引張コイルばね３９とを含む。縁材３５は、断面形状が正方形状である中空の長尺材であって、鋼鉄から成る。この縁材３５は、空隙２０に沿って鉛直方向Ｘに延びて設けられ、たとえば図示しないアンカーボルトなどによって躯体２６に固定される。この縁材３５には、躯体２５に向けて突出して取付部材４０が固定されてる。取付部材４０には、山形鋼であるヒンジ取付片４２が固定される。
【００１５】
ヒンジ３６は、２つのヒンジ片４５，４６を有し、各ヒンジ片４５，４６はヒンジピン４７によって鉛直な軸線まわりに相対的に角変位可能に設けられる。各ヒンジ片４５，４６のうち一方のヒンジ片４５は、ヒンジ取付片４２に固定される。これによってヒンジ３６が躯体２６に取付けられる。また他方のヒンジ片４６には取付部材５０が固定される。
【００１６】
取付部材５０には、躯体２５に向けて延びる補強体６１が取付けられる。補強体６１は、鋼鉄から成り、鉛直方向Ｘに相互に間隔をあけて複数に設けられる、この補強体６１を屋外４４側から覆ってカバープレート３２が取り付けられる。カバープレート３２は、アルミニウム合金から成り、鉛直方向Ｘおよび左右方向Ｙに延びる平面と平行に設けられる平坦部５５と、この平坦部５５の躯体２６寄りの端部に連なり、ほぼ直角に屋内５４に向けて屈曲し、その先端から躯体２６に向けて突出する取付突部５７と、平坦部５５の躯体２５寄りの端部に連なり、ほぼ直角に屋内５４に向けて屈曲し、その先端から躯体２５に向けて突出する取付突部５９とを有する。このようなカバープレート３２は、鉛直方向Ｘに延びて設けられ、取付突部５７が取付部材５０に固定され、取付部５９が補強体６９に固定される。これによってカバープレート３２は、ヒンジ３６を介して躯体２６に連結され、躯体２６に対して角変位することができる。
【００１７】
このようにカバープレート３２の背後、すなわち屋内５４側に補強体６１を設けることによって、前述の地震や地盤沈下あるいは風などによる外力によって、カバープレート３２が変形したり、破損したりすることを防止することができる。
【００１８】
また補強体６１は、カバープレート３２の取付部５９が固定される部分よりも躯体２５に突出する部分６２を有する。この部分６２には、端カバー８１が設けられ、この端カバー８１は、補強体６１を屋外４４側から覆っている。
【００１９】
端カバー８１はカバープレート３２に連結される。端カバー８１は、アルミニウム合金から成り、鉛直方向Ｘに延びて設けられ、屋内５４に臨んでパッキン８８が設けられる。このパッキン８８は鉛直方向Ｘに延びて設けられ、たとえば合成樹脂などの摺動性を有する材料から成る。この端カバー８１とカバープレート３２との連結部に、形成される凹所には、バックアップ材８９およびシール材９０が打設され、水密性が達成される。
【００２０】
また、縁材３５には、山形鋼であり、縁材に固定される取付部材９１を介して、アルミニウム合金から成る縁材カバー９２が固定される。この縁材カバー９２は、鉛直方向Ｘに延びて設けられる。縁材３５と縁材カバー９２との連結部に形成される凹所には、バックアップ材９９およびシール材１００が打設され、水密性が達成される。また縁材カバー９２の躯体２５寄りの端部には、屋外４４に臨んで弾発性を有する材料から成るシール材１０１が設けられる。
【００２１】
また取付部材５０には、カバープレート３２の取付部５７とともにアルミニウム合金から成るヒンジカバー１０２が取付けられる。このヒンジカバー１０２は、鉛直方向Ｘに延びて設けられ、ヒンジ３６を屋外４４側から覆った状態で、取付部材５０に固定される。このヒンジカバー１０２とカバープレート３２の連結部に形成される凹所には、バックアップ材１０７およびシール材１０８が打設され、これによって水密性が達成されている。またヒンジカバー１０２の躯体２６寄りの端部は、縁材カバー９２に取付けられたシール材１０１の弾発性によってシール材１０１と弾発的に接している。これによって縁材カバー９２とヒンジカバー１０２との間が塞がれて水密性が達成されている。
【００２２】
縁材３７は、鋼鉄から成る山形鋼であり、長尺材である。この縁材３７は、鉛直方向Ｘに延びて設けられ、たとえば図示しないアンカーボルトなどによって躯体２５に固定される。また躯体２５には、複数の鋼鉄から成る部材によって構成される取付体１１１がたとえば図示しないアンカーボルトなどによって固定される。
【００２３】
縁材３７を屋外４４側から覆い、取付部材１０９〜１１３を躯体２６側から覆うようにしてアルミニウム合金から成る止水パネル３８が鉛直方向Ｘに延びて設けられる。止水パネル３８は、鉛直方向Ｘに延びて設けられ、カバープレート３２の平坦部５５と平行に配置される当接部１１５を有する。このような止水パネル３８は、縁材３７および取付体１１１に固定され、躯体２５に取付けられる。またこの止水パネル３８は、当接部１１５が端カバー８１の突部８６に取付けられたパッキン８８が臨むように配置される。躯体２５との連結部形成される凹所には、バックアップ材１２４およびシール材１２５が打設され、これによって水密性が達成されている。
【００２４】
また躯体２６には取付部材１２７，１２８，１２９が固定される。取付部材１２７〜１２９は、いずれも鋼鉄から成る型材であって、取付部材１２７，１２９は山形鋼であり、取付部材１２８は溝形鋼である。このような取付部材１２７〜１２９によって止水パネル１３０が躯体２６に取付けられる。
【００２５】
この止水パネル１３０は、アルミニウム合金から成り鉛直方向Ｘに延びて設けられ、躯体２６に固定される。縁材３５と止水パネル１３０との連結部に形成される凹所には、バックアップ材１３６およびシール材１３７が打設され、これによって水密性が達成されている。
【００２６】
また取付部材１２８には、止水パネル１３０とともにばね取付部材１３８が固定される。このばね取付部材１３８は、鋼鉄から成る山形鋼である。このばね取付部材１３８には、係止孔１４１が形成される。引張コイルばね３９は、その一端部に鉤状に形成された係止部１４２が形成され、この係止部１４２をばね取付部材１３８の係止孔１４１に挿通して係止し、引張コイルばね３９の一端部が躯体２６に係止される。
【００２７】
カバープレート３２の背後に設けられる補強体６１には、ばね係止片１４３がたとえば溶接などによって取付けられており、また引張コイルばね３９の他端部には、外周面におねじが形成される係止部１４４が形成され、この係止部１４４をばね取付片１４３に挿通し、ナット部材１４５を係止部１４４に螺着して、引張コイルばね３９の他端部が補強体６１に連結され、したがってカバープレート３２に連結される。このようにして引張コイルばね３９によってカバープレート３２が屋外４４から屋内５４に向けて弾発的に付勢される。これによって端カバー８１に設けられるパッキン８８が止水パネル３８の当接部１１５に弾発的に当接され、したがって水密性が達成される。
【００２８】
また、引張コイルばね３９の他端部におねじが形成される係止部１４４を設け、ナット部材１４５を螺着してカバープレート３２に連結することによって、ナット部材１４５の締め付け具合によって、引張コイルばね３９の張力を調整して、カバープレート３２に対する付勢の強度を調節することができる。
【００２９】
また、前述のようにカバープレート３２を補強体６１の屋外４４側から取付ける構造とすることによって、たとえば引張コイルばね３９の取付作業などを行った後にカバープレート３２を取付けることができ、作業性を向上することができる。
【００３０】
また取付体１１１および取付部材１２９には、鋼鉄から成る止水板取付片１４６，１４７がそれぞれ取付けられる。これらの各止水板取付片１４６，１４７間にわたってたとえば合成ゴムから成る止水板１４８が鉛直方向Ｘに延びて設けられる。これによって水密性が向上される。
【００３１】
止水板取付片１４６，１４７は、鋼鉄から成り鉛直方向Ｘに延びて設けられる。止水パネル３８と止水板１４８の連結部に形成される凹所にはバックアップ材１５３およびシール材１５４が打設され、これによって水密性が達成されている。また止水パネル１３０と止水板１４８との連結部に形成される凹所には、バックアップ材１５５およびシール材１５６が打設され、これによって水密性が達成されている。
【００３２】
このように構成される伸縮継手２７によって、各躯体２５，２６の相対的な変位を許容した状態で、空隙２０が塞がれ、各部材の連結部および部材間の当接部にパッキン８８およびシール材９０，１００，１０１，１０８，１２５，１３７，１５４，１５６を設けることによって、高い水密性を達成して、空隙２０を塞ぐことができる。
【００３３】
再び図２を参照して、空隙２８を塞ぐために用いられる伸縮継手２１は、配置される方向が異なるものの、伸縮継手２０とほぼ同様の構成を有するので、前述のように簡略化した図面によって、要部のみ説明する。空隙２８は、空隙２７に近接するにつれて下方に傾斜して形成される。伸縮継手２１は、躯体２５にヒンジ１５７によって連結される横カバープレートであるカバープレート３３と、躯体２５に取付けられる天井パネル１５８と、躯体２６に取付けられる水返しパネル１５９と、天井パネル１５８と水返しパネル１５９とにわたって設けられる止水板１６０と、カバープレート３３を屋外４４から屋内５４に向けて付勢する引張コイルばね１６１とを有する。
【００３４】
カバープレート３３は、アルミニウム合金から成り、空隙２８の延びる方向に沿って設けられる。このカバープレート３３の上端部は、前述のようにヒンジ５７によって躯体２５に連結され、これによってカバープレート３３は、躯体２５に対して角変位することができる。またカバープレート３３の下端部には、カバープレート３３の縁材の延びる方向に沿ってたとえば合成樹脂などの弾発性を有する材料から成るパッキン１６２が設けられる。このカバープレート３３のカバープレート３２に臨む部分には、屋外４４に向けて突出して補助カバー１６３が設けられる。
【００３５】
図４は補助カバー１６３を示す断面図である。この補助カバー１６３は、カバープレート３３の下端部に連なり、屋内５４から屋外４４に向かうにつれて下方に傾斜する傾斜部１７６と、この傾斜部１７６の屋外４４寄りの端部から下方に立下がる立下がり部１７７と、この立下がり部１７７の下端部から屋内５４に向けて屈曲する屈曲部１７８とを有する。このような補助カバー１６３の下端部には、屈曲部１７８にたとえばリベット１７９によって固定されるパッキン１６４が設けられる。このパッキン１６４はたとえば合成樹脂などの弾発性を有する材料から成る。このパッキン１６４は、カバープレート３２の上端部に弾発的に当接され、これによて水密性が達成されている。この補助カバー１６３は、カバープレート３２を上方から覆うように設けらる。
【００３６】
このようにカバープレート３３に補助カバー１６３を設け、さらにパッキン１６４を設けることによって、たとえば各躯体２５，２６の変位によってカバープレート３２，３３が前述のように角変位されても、補助カバー１６３およびパッキン１６４がカバープレート３２の上端部に臨んだ状態を維持することができ、これによって水密性を維持して、雨水などが屋外から空隙２７内に浸入することを防止することができる。またカバープレート３３の空隙２７寄りの長手方向の一端部には、パッキン１６４に連なるたとえば合成樹脂などの弾発性を有する材料から成るパッキン１６５が設けられ、このパッキン１６５は弾発的に止水パネル３８に当接されて水密性が達成されている。
【００３７】
天井パネル１５８は、空隙２８の延びる方向に沿って設けられ、躯体２５を下方から覆って固定される。カバープレート３３の上端部と天井パネル１５８との間にはシール材１１２が設けられ、これによって水密性が達成されている。またこの天井パネル１５８は、空隙２７寄りの長手方向一端部１６６に屋内５４に向けて延出する延出部１６７を有する。この延出部１６７によって、止水板１４８の上端部が上方から覆われる。
【００３８】
水返しパネル１５９は、アルミニウム合金から成り空隙２８の延びる方向に沿って設けられる。この水返しパネル１５９は、屋内５４から屋外４４に向かうにつれて下方に傾斜する勾配を有する傾斜基部１６８と、この傾斜基部１６８の屋外４４寄りの端部に連なり下方に屈曲する屈曲部１６９と傾斜基部１６８の屋内５４寄りの端部に連なり上方に向けて立上がる立上がり部１７０と、この立上がり部１７０の上端部から屋外４４に向けて屈曲する屈曲部１７１と、この屈曲部１７１の屋外４４寄りの端部に連なりほぼ直角に下方に屈曲する折返し部１７２とを有する。
【００３９】
このような水返しパネル１５９は、屈曲部１６９が躯体２６に固定され、傾斜基部１６８の屋内５４寄りの端部が取付部材１７３によって躯体２６に固定される。このような水返しパネル１５９は、上述のような屋外４４に向かうにつれて下方に傾斜する傾斜基部１６８が設けられ、この傾斜基部の屋内寄りの端部には、立上がり部１７０、屈曲部１７１および折返し部１７２が設けられる。これによって雨水などが屋内５４から屋外４４に向けて移動するように構成されており、屋外４４から空隙２８内に雨水などが浸入することを確実に防止している。
【００４０】
さらに天井パネル１５８と水返しパネル１５９とにわたって合成ゴムなどから成る止水板１６０が空隙２８の延びる方向に沿って設けられ、これによってさらに水密性が向上されている。またこの止水板１６０は、天井パネル１５８の延出部１６７の下方において空隙２７に設けられる止水板１４８と連結され、その連結部はたとえば接着剤などによって相互に接着され、この連結部から雨水などが屋内５４側に浸入することを防止している。また前述の天井パネル５８の一端部１６６は、止水パネル３８と連結され、その連結部には図示しないシール材が設けられている。
【００４１】
さらに、水返しパネル１５９の空隙２７寄りの端部は、前述の止水パネル１３０と連結されており、その連結部には図示しないシール材が設けられており、これによって水密性が達成されている。
【００４２】
引張コイルばね１６１は、その一端部が取付部材１７４によって上方に配置される躯体２５に連結され、その他端部はカバープレート３３に連結される。これによってカバープレート３３は、屋外４４から屋内５４に向けて弾発的に付勢される。この引張コイルばね１６１の弾発的な付勢によって、カバープレート３３の下端部に設けられるパッキン１６２が水返しパネル１５９の屈曲部１６９に弾発的に当接され、これによって水密性が達成される。またカバープレート３３を、上方に配置される躯体２５に連結し、下端部が変位するように構成することによって、上方から落ちてくる雨水などが空隙２８内に浸入しにくい構造とすることができ、高い水密性を達成することができる。
【００４３】
またカバープレート３３は、躯体２５の屋外４４に臨む外表面１７５よりも距離Ｌだけ屋内５４寄りの位置に設けられ、これによって躯体２５の外表面１７５を伝って降りてくる雨水などが空隙２８内に浸入しにくくすることができ、さらに水密性を向上することができる。伸縮継手２１は、空隙２８を塞ぎ、空隙２７を塞ぐために設けられる伸縮継手２０の上方に臨んで設けられる。
【００４４】
これによって空隙２７に向かうにつれて下方に傾斜する空隙２８を塞ぐために設けられる伸縮継手２１の作用によって雨水などが空隙２７に向けて移動したとしても、止水パネル３８、止水パネル１３０および止水板１４８によってその雨水が屋内５４に向けて浸入することを確実に防止することができる。
【００４５】
このように空隙２７を塞ぐ伸縮継手２０と、空隙２８を塞ぐ伸縮継手２１とを相互に連結し、各部材へそれぞれの連結部にパッキン１６９、１６５およびシール材などが設けられることによって水密性を達成して、屋外４４から空隙２７，２８内に雨水などが浸入することを防止することができる。
【００４６】
図５は、図１のセクションＶを拡大し、簡略化して示す斜視図であり、図６は図１のセクションＶＩを拡大し、簡略化して示す斜視図である。図５および図６は、図２と同様に図解を容易にするためにカバープレート３３，１８１、天井パネル１５８、水返しパネル１５９、止水板１６０，１８４および止水パネル１８２，１８３などは、厚みを省略して示す。
【００４７】
空隙２９を塞ぐために設けられる伸縮継手２２は、伸縮継手２０と類似の構成を有するので、要部についてのみ説明する。伸縮継手２０には、ヒンジ１８０によって躯体２６に連結されるカバープレート１８１と、躯体２６に取付けられる止水パネル１８２と、躯体２５に取付けられる止水パネル１８３と、各止水パネル１８２，１８３間にわたって設けられる止水板１８４と、カバープレート１８１を屋外４４から屋内５４に向けて弾発的に付勢する引張コイルばね１８５とを有する。
【００４８】
カバープレート１８１は、アルミニウム合金から成り、鉛直方向Ｘに延びて設けられる。このカバープレート１８１は、躯体２６に設けられる縁材１８６に前述のようにヒンジ１８０によって連結され、鉛直な軸線まわりに躯体２６に対して角変位可能に設けられている。カバープレート１８１と縁材１８６との間にはシール材１８７が打設されており、これによって水密性が達成されている。躯体２６には、縁材１８６から屋内５４に延びて止水パネル１８２が設けられる。この止水パネル１８２は、アルミニウム合金から成り、鉛直方向Ｘに延びて設けられる。この止水パネル１８２と縁材１８６との間には図示しないシール材が設けられており、これによって水密性が達成されている。
【００４９】
躯体２５には、アルミニウム合金から成り、鉛直方向Ｘに延びて止水パネル１８３が設けられる。またカバープレート１８１は、躯体２５寄りの端部にたとえば合成樹脂などの弾発性を有する材料から成るパッキン１８８が鉛直方向Ｘに延びて設けられる。引張コイルばね１８５は、その一端部が躯体２６に固定され他端部がカバープレート１８１に連結されている。カバープレート１８１は、この引張コイルばね１８５によって屋外４４から屋内５４に向けて弾発的に付勢される。この引張コイルばね１８５の付勢によってカバープレート１８１に設けられるパッキン１８８は、止水パネル１８３に弾発的に当接される。これによって各躯体２５，２６が相対的に変位しても、その変位を許容した状態で空隙２９を塞ぎ、水密性を達成して屋外４４から空隙２９内に雨水が浸入することを防止することができる。
【００５０】
さらに各止水パネル１８２，１８３間にわたってたとえば合成ゴムなどから成る止水板１８４が、鉛直方向Ｘに延びて設けられている。これによってさらに水密性が向上されている。
【００５１】
このような伸縮継手２２に設けられるカバープレート１８１の上端は、水平面内に形成される。空隙２８を塞ぐために設けられる伸縮継手２１は、空隙２９を塞ぐために設けられる伸縮継手２２を上方から覆う状態で設けられる。その伸縮継手２１のカバープレート３３は、伸縮継手２２のカバープレート１８１に臨む部分に補助カバー１８９が設けられる。この補助カバー１８９は、図４に示すカバープレート３３の空隙２７寄りの端部に設けられる補助カバー１６３と同様の構成を有するので同一の参照符号を付し説明は省略する。この補助カバー１８９は、カバープレート３３の下端部において外部４４に向けて突出して設けられており、パッキン１６４をカバープレート１８１の上端部に当接させた状態で設けられている。このように前後方向Ｚに幅を有する補助カバー１８９によって、カバープレート１８１の上端部を覆うことによって各躯体２５，２６の相対的な変位によってカバープレート１８１が前述のように角変位されても、補助カバー１８９がカバープレート１８１を上方から覆った状態を保つことができる。さらにパッキン１６４をカバープレート１８１の上端部に当接した状態を保つことができ、これによって外部４４から内部５４に向けて雨水などが浸入することを確実に防止することができる。またカバープレート３３の空隙２９寄りの他端部には補助カバー１８９に設けられるパッキン１６４につられてパッキン１９０が設けられる。このパッキン１９０はたとえば合成樹脂などの弾発性を有する材料から成り、このパッキン１９０は伸縮継手２２に備えられる止水パネル１８３に弾発的に当接され、これによって水密性が達成されている。
【００５２】
また伸縮継手２１に備えられる水返しパネル１６８と伸縮継手２２に備えられる止水パネル１８２とを連結されており、この連結部には図示しないシール材が設けられており、この連結部が雨水などが空隙２８あるいは２９内に浸入することを防止することができる。また伸縮継手２１に備えられる天井パネル１５８と伸縮継手２２に備えられる止水パネル１８３とは連結されており、この連結部には図示しないシール材が設けられており、水密性が達成されて雨水などが空隙２８あるいは２９内に浸入することを防止している。さらにまた伸縮継手２１に備えられる天井パネル１５８の空隙２９寄りの他端部には、屋内５４に向けて延出する延出部１９１が設けられる。この延出部１９１は、伸縮継手２２に備えられる止水板１８４の上端部を覆っている。また伸縮継手２１に備えられる止水板１６０と伸縮継手２２に備えられる止水板１８４とは、天井パネル１５８の延出部１８４の下方において相互に連結され、この連結部は、たとえば接着剤などによって相互に接着され、水密性が達成されている。
【００５３】
このように空隙２８を塞ぐ伸縮継手２１と空隙２９を塞ぐ伸縮継手２２とが相互に連結され、各部材のそれぞれの連結部においてパッキン１６４，１９０およびシール材などが設けられることによって水密性を達成することができ、屋外４４から空隙２８，２９内に雨水などが浸入することを防止することができる。
【００５４】
伸縮継手２２に備えられるカバープレート１８１の下端部は、躯体２６の空隙３３に臨む上面２６ａまで延びて形成される。その下端部にはパッキン１８７に連なるパッキン１９２が設けられる。このパッキン１９２はたとえば合成樹脂などの弾発性を有する材料から成り、躯体２６の上面２６ａに弾発的に当接されている。これによって各躯体２５，２６の相対的な変位によってカバープレート１８１が前述のように角変位されても、パッキン１９２が上面２６ａに弾発的に当接されるので、水密性を維持し、外部４４から空隙２９内に雨水が浸入することを防止することができる。
【００５５】
図６に示すように、空隙３０は、空隙２９から離反するにつれて下方に傾斜して形成され、その空隙３０を塞ぐために設けられる伸縮継手２３は、伸縮継手２１と類似の構成を有するので要部についてのみ説明し、同様の構成を有する部分には同一の参照符号を付し説明は省略する。
【００５６】
伸縮継手２３に備えられるカバープレート３３の伸縮継手２２に備えられるカバープレート１８１に臨む部分には補助カバー１９３が設けられる。この補助カバー１９３はカバープレート１８１に横方向から臨んで設けられるので、鉛直方向Ｘに延びて設けられている。しかしながら断面形状は、前述の図４に示す補助カバー１６３と同様の形状を有するので、同一の形状を有する部分には同一の参照符号を付し説明を省略する。補助カバー１９３は、上カバー部１９３ａとしたカバー部１９３ｂとを有し、下カバー部１９３ｂでカバープレート３３に取付られている。各カバー部１９３ａ，１９３ｂは、相対的に変位可能に設けられ、図示しない圧縮コイルばねによって、相互に離反するように弾発的に付勢されている。これによって、カバープレート３３が、各躯体２５，２６の相対的な変位によって各変位される場合、下カバー部１９３ｂに対して、上カバー部１９３ａが変位することによって、補助カバー１９３が、躯体２５と干渉しカバープレート３３の変位を妨げることを防止することができる。また、各カバー部１９３ａ，１９３ｂが相互に離反するように付勢することによって、カバープレート３３が各変位されても、各カバープレート３３，１８１間に隙間が生じること防止することができる。
【００５７】
この補助カバー１９３に設けられるパッキン１６４は、カバープレート２２の遊端部２２ａに弾発的に当接され、これによって水密性が達成さてれている。さらに補助カバー１９３は前後方向Ｚに幅を有しており、カバープレート１８１が角変位されても、そのカバープレート１８１の遊端部２２ａに常に横方向から臨んだ状態を保つことができる。これによって各躯体２５，２６が相対的に変位しても伸縮継手２２に備えられるカバープレート１８１と伸縮継手２３に備えられるカバープレート３３との間に隙間が生じることを防止して、雨水などが外部４４から空隙２９あるいは３０内に浸入することを確実に防止することができる。また補助カバー１９３の下端部にはカバープレート１８１の下端部に設けられるパッキン１９２およびカバープレート３３の下端部に設けられるパッキン１６２に連なるパッキン１９４が設けられる。このパッキン１９４は、たとえば合成樹脂などの弾発性を有する材料から成り、躯体２６の上面２６ａに弾発的に当接され、これによって水密性が達成されている。
【００５８】
また伸縮継手２２に備えられる止水パネル１８３と伸縮継手２３に備えられる天井パネル１５８とは連結されており、この連結部には図示しないシール材が設けられており、これによって水密性が達成され雨水などが屋外４４から空隙２９あるいは３０内に浸入することを防止している。さらに伸縮継手２２に備えられる止水パネル１８２と伸縮継手２３に備えられる水返しパネル１５９は連結されており、その連結部には図示しないシール材が設けられており水密性が達成されている。また水返しパネル１５９の空隙２９に臨む側の端部には、排水パネル１９５が屋内５４に延びて設けられる。この排水パネル１９５は、伸縮継手２２に備えられる止水板１８４を下方から覆うように設けられている。すなわち止水板１８４の下端部の開放部が排水パネル１９５によって塞がれる。この止水板１８４と伸縮継手２３に備えられる止水板１６０とは、排水パネル１９５の上方において連結される。この連結部は、たとえば接着剤などによって接着され水密性が達成されている。
【００５９】
このように鉛直方向に延びる空隙を塞ぐための伸縮継手２０に備えられる止水板１８４と、略水平方向に延びる空隙３０を塞ぐための伸縮継手２３に備えられる止水板１６０との連結部を排水パネル１９５によって下方から覆うことによって、たとえば止水板１８４を伝って降りてきた雨水などが下方に落下してしまうことを防止し、受け止めることができる。
【００６０】
またこの排水パネル１９５は水返しパネル１５９の傾斜基部１６８と同様の傾斜を有しており、受け止めた水を屋外４４に向けて移動させることができる。さらに水返しパネル１５９に設けられる立上がり部７０、屈曲部１７１および折返し部１７０には排水パネル１９５にわたって設けられており、雨水などが屋内５４に向けて浸入することを確実に防止することができる。また伸縮継手２２に備えられるカバープレート１８１の下端部に設けられたパッキン１９２には排水孔１９６が形成されており、排水パネル１９５を有する水返しパネル１５９によって屋外４４に向けて移動される水は、この排水孔１９６を介して屋外４４に排出される。
【００６１】
空隙３０は空隙２９から空隙３１に向かうにつれて下方に傾斜して形成されており、この空隙３０を塞ぐために設けられる伸縮継手２３は空隙３０と同様に空隙２９から空隙３１に向かうにつれて下方に傾斜して形成される。したがって伸縮継手２２によって屋内５４への浸入が防止された雨水など伸縮継手２３に備えられる水返しパネル１５９によって屋外４４に向けて排出されると同時に空隙３１に向けて導かれる。
【００６２】
このように空隙２９を塞ぐ伸縮継手２２と、空隙３０を塞ぐ伸縮継手２３とを相互に連結し、各部財のそれぞれの連結部にパッキン１６４およびシール材などを設けることによって水密性を達成して、屋外４４から空隙２９，３０内に雨水などが浸入することを防止することができる。
【００６３】
図７は図１のセクションＶＩＩを拡大し、簡略化して示す斜視図である。図７は、図２、図５および図６と同様に図解を容易にするためにカバープレート３３，１８１、天井パネル１５８、水返しパネル１５９、止水板１６０，１８４および止水パネル１８２，１８３などの厚みを省略して示す。空隙３１を塞ぐために設けられる伸縮継手２４は、図５および図６に示す伸縮継手２２と同様の構成を有するので、重複を避けて説明は省略する。
【００６４】
空隙３１を塞ぐために設けられる伸縮継手２４に備えられるカバープレート１８１は、図５に示す空隙２９を塞ぐために設けられる伸縮継手２２に備えられるカバープレート１８１と同様にその上端が水平面内に配置されて形成される。また空隙３０を塞ぐために設けられる伸縮継手２３に備えられるカバープレート３３には、伸縮継手２４に備えられるカバープレート１８１の上端に臨んで補助カバー１９７が設けられる。
【００６５】
この補助カバー１９７は、図５に示す補助カバー１８２と同様の構成を有するので同一の参照符号を付し説明は省略する。この補助カバー１９７は、図５に示す補助カバー１８９と同様の効果を得ることができる。すなわち各躯体２５，２６の相対的な変位によって伸縮継手２４に備えられるカバープレート１８１が角変位しても、補助カバー１９７が伸縮継手２４の補助カバー１８１の上端部に臨んだ状態を保つことができる。これによって伸縮継手２３に備えられるカバープレート３３と伸縮継手２４に備えられるカバープレート１８１との間に隙間が生じることを防止して、屋外４４から空隙３０，３１内に雨水などが浸入することを防止することができる。さらに伸縮継手２３に備えられるカバープレート３３の空隙３１寄りの端部には補助カバー１９７に設けられるパッキン１６４に連なるパッキン１９８が設けられる。このパッキン１９８は、たとえば合成樹脂などの弾発性を有する材料から成り、伸縮継手２４に備えられる止水パネル１８３に弾発的に当接され、これによって水密性が達成されている。また伸縮継手２３に備えられる止水板１６０と伸縮継手２４に備えられる止水板１８４とは相互に連結され、その連結部はたとえば接着剤などによって接着されて水密性が達成されている。
【００６６】
また伸縮継手２３に備えられる水返しパネル１５９と伸縮継手２４に備えられる止水パネル１８２とは連結されておりその連結部には図示しないシール材が設けられており、これによって水密性が達成されている。また伸縮継手２３に備えられる天井パネル１５８と伸縮継手２４に備えられる止水パネル１８３とは連結されており、その連結部には図示しないシール材が設けられており、これによって水密性が達成されている。
【００６７】
さらに伸縮継手２３に備えられる天井パネル１５８には、空隙３１寄りの端部に屋内５４の向けて延出する延出部１９９が形成され、この延出部１９９は、伸縮継手２４に備えられる止水板１８４との上方およびこの止水板１８４と伸縮継手２３に備えられる止水板１６０との連結部を上方から覆っている。このようにして空隙３０と空隙３１とが連なる部分が伸縮継手２３と伸縮継手２４とによって塞がれ、各躯体２５，２６が相対的に変位しても、その変位を許容した状態で、空隙３０，３１を塞ぐことができる。すなわち各伸縮継手２３，２４間の連結部は各伸縮継手２１，２２間の連結部と同様に水密性を達成することができる。
【００６８】
上述の実施例において、空隙２９，３１は、鉛直方向に延びて形成されていたけれども、鉛直方向に対してたとえ僅かに傾斜して略鉛直方向に延びる空隙と、この空隙に連なり水平方向に対して僅かに傾斜して略水平方向に延びる空隙とを塞ぐために本発明に従う伸縮継手の取付構造が実施されても、図１〜図７に示す実施例と同様の効果を得ることができる。すなわち、鉛直方向あるいは鉛直方向から僅かに傾斜する略鉛直方向に延びる空隙と、この略鉛直方向に延びる空隙に連なり水平方向あるいは水平方向から僅かに傾斜した略水平方向に延びて形成される空隙とを塞ぐために、本発明に従う伸縮継手の取付構造を実施することができる。略鉛直方向に延びる空隙を塞ぐ伸縮継手のカバープレートは屋外寄りに突出する躯体にヒンジによって連結し、略水平方向に延びる空隙を塞ぐために設けられる伸縮継手のカバープレートを上方に配置させる躯体にヒンジによって連結することによって、各躯体が相対的に変位しても、その変位を許容した状態で、空隙を塞ぎ、各カバープレートの連結部において隙間が生じることを防止して高い水密性を達成することができる。
【００６９】
【発明の効果】
以上のように本発明によれば、第１躯体に隣接して第２躯体が設けられ、これらの第１および第２躯体間には、略鉛直方向に延びる第１空隙と第１空隙に連なり略水平方向に延びる第２空隙とが形成される。第１空隙は第２躯体にヒンジによって角変位可能に設けられる縦カバープレートによって塞がれる。これによって第１および第２躯体が相対的に変位に対して、縦カバープレートの角変位によって各躯体間の変位を可及的に大きな許容幅で許容した状態で第１空隙を塞ぐことができ、外部から第１空隙内に雨水などが浸入すること防止することができる。また第２空隙は第１躯体にヒンジによって角変位可能に設けられる横カバープレートによって塞がれる。これによって横カバープレートの角変位中心をその上部に設けることができ、雨水や上方から第１躯体を伝って降りてくる水などが屋外から第２空隙内に浸入することを防止することができる。また、横カバープレートと縦カバープレートとは、パッキンを介して、連続しており、水の浸入を防止する。
【００７０】
このような伸縮継手において、縦カバープレートの背後には縦止水板が設けられ、横カバープレートの背後には横止水板が設けられる。これによって水密性がさらに向上され、屋外から屋内へ向けて雨水などが浸入することを確実に防止することができる。また縦止水板の下端部と横止水板との連結する部分に下方から臨んで排水パネルが設けられる。これによって縦止水板および横止水板によって導かれる雨水などが縦止水板の下方に落下し、屋外から空隙内に浸入することを防止して排水することができ、高い水密性を達成することができる。
【図面の簡単な説明】
【図１】本発明の一実施例の伸縮継手２０〜２４の取付構造を示す断面図である。
【図２】図１のセクションＩＩを拡大し、簡略化して示す斜視図である。
【図３】伸縮継手２０を示す水平断面図である。
【図４】補助カバー１６３を示す鉛直断面図である。
【図５】図１のセクションＶを拡大し、簡略化して示す斜視図である。
【図６】図１のセクションＶＩを拡大し、簡略化して示す斜視図である。
【図７】図１のセクションＶＩＩを拡大し、簡略化して示す斜視図である。
【図８】典型的な従来技術の伸縮継手６，７の取付構造を示す斜視図である。
【図９】その伸縮継手６，７が設けられる空隙１，２を挟んで隣接する躯体４，５を示す正面図である。
【符号の説明】
１，２，２７〜３１  空隙
４，５，２５，２６  躯体
６，７，２０〜２４  伸縮継手
３２，３３，１８１  カバープレート
３６，１５７，１８０  ヒンジ
３８，１３０，１８２，１８３  止水パネル
３９，１６１，１８５  引張コイルばね
４４  屋外
５４  屋内
１６３，１８９，１９３，１９７  補助カバー
【図１】
0003608828.tif 000002
【図２】
0003608828.tif 000003
【図３】
0003608828.tif 000004
【図４】
0003608828.tif 000005
【図５】
0003608828.tif 000006
【図６】
0003608828.tif 000007
【図７】
0003608828.tif 000008
【図８】
0003608828.tif 000009
【図９】
0003608828.tif 000010